(57)【要約】【課題】利用者が所望するデータを効率よく容易に再生できるデータ再生装置を提供する。【解決手段】利用者が所望する再生条件とこの再生条件で再生させる音楽データを、キー入力装置３の入力操作にて入力し、再生条件設定手段２１で再生条件情報として設定してリストデータ作成手段２２でリストデータを作成する。利用者による再生要求指令の入力操作にて、内蔵時計１１で計測する時刻データおよび利用者にて入力された再生状態情報に基づいて、ハードディスク２ａを検索して該当するリストデータを選出し、音楽データを順次読み取って再生処理し、音として出力して再生させる。【選択図】　図１
2004005832.tif 000002
【特許請求の範囲】
【請求項１】
記録媒体に複数記録されたデータの再生順序を指定するリストデータを読み取り、この読み取ったリストデータに基づいて前記記録媒体に複数記録されたデータを順次再生処理するデータ再生装置であって、
前記記録媒体に記録された前記データおよび前記リストデータを読み取るデータ読取手段と、
再生条件情報を設定する再生条件設定手段と、
この再生条件設定手段にて設定された再生条件情報に基づいて前記データ読取手段にて読み取られるリストデータを選出するリストデータ選択手段と、
このリストデータ選択手段にて選出されたリストデータに基づいて前記データ読取手段にて読み取るデータを再生処理するデータ処理手段と、
を具備したことを特徴としたデータ再生装置。
【請求項２】
記録媒体に複数記録されたデータの再生順序を指定するリストデータを読み取り、この読み取ったリストデータに基づいて前記記録媒体に複数記録されたデータを順次再生処理するデータ再生装置であって、
前記記録媒体に記録された前記データおよび前記リストデータを読み取るデータ読取手段と、
再生条件情報を設定する再生条件設定手段と、
この再生条件設定手段にて設定された再生条件情報に基づいて前記データ読取手段にて読み取られるリストデータを選出するリストデータ選択手段と、
このリストデータ選択手段にて選出したリストデータに基づいて前記データ読取手段にて読み取られるデータの再生処理を実行させる旨の入力を促す報知をする報知手段と、
を具備したことを特徴としたデータ再生装置。
【請求項３】
請求項１または２に記載のデータ再生装置において、
リストデータは、リストデータ選択手段にて再生条件情報との適合性が判断される固有の識別情報を有した
ことを特徴としたデータ再生装置。
【請求項４】
請求項１ないし３のいずれかに記載のデータ再生装置において、
時刻を計時する計時手段を具備し、
再生条件設定手段は、時刻情報を含む再生条件情報を設定可能で、
リストデータ選択手段は、前記計時手段にて計時する時刻と同時刻となる時刻情報を含む再生条件情報に基づいてリストデータを選出する
ことを特徴としたデータ再生装置。
【請求項５】
請求項１ないし４のいずれかに記載のデータ再生装置において、
再生条件設定手段は、データの再生状況に関する再生状態情報を含む再生条件情報を設定入力可能である
ことを特徴としたデータ再生装置。
【請求項６】
請求項１ないし５のいずれかに記載のデータ再生装置において、
リストデータ選択手段は、再生条件情報に基づいて選出される複数のリストデータのうち無作為に１つのリストデータを選出する
ことを特徴としたデータ再生装置。
【請求項７】
請求項１および３ないし５のいずれかに記載のデータ再生装置において、
リストデータ選択手段は、再生条件情報に基づいて対応する複数のリストデータを選出し、
データ処理手段は、前記リストデータ選択手段にて選出された複数のリストデータを順列として順次データを再生処理する
ことを特徴としたデータ再生装置。
【請求項８】
請求項１ないし７のいずれかに記載のデータ再生装置において、
リストデータ選択手段は、再生条件情報に基づいて複数のリストデータを選出した場合、再生条件設定手段にて設定される再生条件情報の変更または再生条件の追加修正を要求する報知をする
ことを特徴としたデータ再生装置。
【請求項９】
請求項１および３ないし８のいずれかに記載のデータ再生装置において、
データ処理手段は、リストデータ選択手段にてリストデータを選出できない場合には記録媒体に記録された全てのデータを順次再生処理する
ことを特徴としたデータ再生装置。
【請求項１０】
請求項１ないし９のいずれかに記載のデータ再生装置と、
このデータ再生装置と送受信可能に接続され前記データ再生装置にて再生処理されるデータを再生する端末装置と、
を具備したことを特徴としたデータ再生システム。
【請求項１１】
請求項１０に記載のデータ再生システムにおいて、
端末装置は、データを再生する再生手段と、入力操作により再生条件設定手段にて設定される再生条件情報を入力する入力手段と、を備えた
ことを特徴としたデータ再生システム。
【請求項１２】
記録媒体に複数記録されたデータを、前記記録媒体に複数記録され前記データの再生順序を指定するリストデータに基づいて再生処理するデータ再生方法であって、
再生条件情報の設定を認識し、
この認識した再生条件情報に基づいて、前記記録媒体に複数記録されるリストデータを選出し、
この選出したリストデータに基づいて前記データを読み取って再生処理する
ことを特徴とするデータ再生方法。
【請求項１３】
記録媒体に複数記録されたデータを、前記記録媒体に複数記録され前記データの再生順序を指定するリストデータに基づいて再生処理するデータ再生方法であって、
再生条件情報の設定を認識し、
この認識した再生条件情報に基づいて前記記録媒体に複数記録されたリストデータを読み出し、
この読み出したリストデータに基づいて前記記録媒体に記録されたデータを読み出して再生処理を実行させる旨の入力を促す報知をする
ことを特徴とするデータ再生方法。
【請求項１４】
請求項１２または１３に記載のデータ再生方法をコンピュータに実行させる
ことを特徴としたデータ再生プログラム。
【請求項１５】
請求項１４に記載のデータ再生プログラムがコンピュータにて読取可能に記録された
ことを特徴としたデータ再生プログラムを記録した記録媒体。
【発明の詳細な説明】
【０００１】
【発明の属する技術分野】
本発明は、記録媒体に記録されるデータの再生順序を指定するリストデータに基づいてデータを再生処理するデータ再生装置、そのシステム、その方法、そのプログラム、および、そのプログラムを記録した記録媒体に関する。
【０００２】
【背景技術】
従来、データ再生装置として、例えば磁気ディスクや光ディスクなどの記録媒体に記録された音楽データを再生する構成が知られている。このデータ再生装置は、記録媒体にデータとともにデータの再生順番を指定するリストデータに基づいて順次データを再生処理する。
【０００３】
ところで、近年のデジタル技術の向上により、データを圧縮処理して限られた記録領域に多くのデータを記録できるデータ圧縮方法が開発されているとともに、記録媒体の記録領域が極めて大きい記録媒体も開発されている。このことから、近年では、記録媒体に多量のデータを記録することが可能となっている。このため、例えばデータとして音楽データを記録した場合、多量の音楽データを連続して鑑賞することは多大な時間となる。よって、音楽データを再生する際には、多量に記録されていても常に再生する順番が小さい音楽データが再生され、利用者は記録された音楽データを十分に鑑賞できない。
【０００４】
また、記録された音楽データを無作為に再生させる処理方法が知られている。このことにより、再生する度に異なる音楽データが再生され、多量に記録された音楽データを効率よく鑑賞することが可能となる。しかしながら、例えば起床時にゆっくりとした曲調の音楽データが再生されたり、就寝時にテンポが速い曲調の音楽データが再生されたのでは、音楽を鑑賞するという目的を得られなくなる。
【０００５】
【発明が解決しようとする課題】
上述したように、従来の再生装置では、特に記録媒体に多量にデータを記録した場合において、限られた時間内で全てのデータを有効的に再生することができない。また、無作為にデータを再生させたのでは、利用者が所望するデータの再生が得られない。
【０００６】
本発明は、このような点に鑑みて、利用者が所望するデータを効率よく容易に再生できるデータ再生装置、そのシステム、その方法、そのプログラム、および、そのプログラムを記録した記録媒体を提供することを目的とする。
【０００７】
【課題を解決するための手段】
請求項１記載の発明は、記録媒体に複数記録されたデータの再生順序を指定するリストデータを読み取り、この読み取ったリストデータに基づいて前記記録媒体に複数記録されたデータを順次再生処理するデータ再生装置であって、前記記録媒体に記録された前記データおよび前記リストデータを読み取るデータ読取手段と、再生条件情報を設定する再生条件設定手段と、この再生条件設定手段にて設定された再生条件情報に基づいて前記データ読取手段にて読み取られるリストデータを選出するリストデータ選択手段と、このリストデータ選択手段にて選出されたリストデータに基づいて前記データ読取手段にて読み取るデータを再生処理するデータ処理手段と、を具備したことを特徴としたデータ再生装置である。
【０００８】
この発明では、再生条件設定手段にて設定された再生条件情報に基づいて、データ読取手段にて記録媒体に複数記録されたリストデータを読み取る。そして、データ処理手段により、読み取ったリストデータで指定される再生順序に基づいてデータ読取手段にて記録媒体から読み取ったデータを再生するための処理をする。このことにより、利用者が所望する再生条件に対応する再生条件情報を設定し、この再生条件情報に基づいて対応するリストデータが選出されてデータが再生されるので、利用者の嗜好に対応したデータが再生されるとともに、利用者が所望するデータを再生させるための操作が容易となり、取扱性が向上する。
【０００９】
請求項２に記載の発明は、記録媒体に複数記録されたデータの再生順序を指定するリストデータを読み取り、この読み取ったリストデータに基づいて前記記録媒体に複数記録されたデータを順次再生処理するデータ再生装置であって、前記記録媒体に記録された前記データおよび前記リストデータを読み取るデータ読取手段と、再生条件情報を設定する再生条件設定手段と、この再生条件設定手段にて設定された再生条件情報に基づいて前記データ読取手段にて読み取られるリストデータを選出するリストデータ選択手段と、このリストデータ選択手段にて選出したリストデータに基づいて前記データ読取手段にて読み取られるデータの再生処理を実行させる旨の入力を促す報知をする報知手段と、を具備したことを特徴としたデータ再生装置である。
【００１０】
この発明では、再生条件設定手段にて設定された再生条件情報に基づいて、データ読取手段にて記録媒体に複数記録されたリストデータを読み取る。そして、報知手段により、読み取ったリストデータで指定される再生順序に基づいてデータ読取手段にて記録媒体から読み取ったデータを再生するための処理を実行させる旨の入力を促す報知をする。このことにより、利用者が所望する再生条件に対応する再生条件情報を設定し、この再生条件情報に基づいて対応するリストデータが選出されてデータの再生処理の待機状態となり、その旨を報知するので、データの再生処理を実行させる旨の入力が実施されると、利用者が所望する再生条件でデータが再生処理され、利用者の嗜好に対応してデータが再生されるとともに、データの再生処理は利用者の入力で実施されるので、利用者にデータの再生処理を確認することとなり、より利用者の嗜好に対応したデータの再生が得られる。
【００１１】
請求項３に記載の発明は、請求項１または２に記載のデータ再生装置において、リストデータは、リストデータ選択手段にて再生条件情報との適合性を判断する固有の識別情報を有したことを特徴とする。
【００１２】
この発明では、リストデータ選択手段にて再生条件情報との適合性を判断する固有の識別情報をリストデータに設ける。このことにより、利用者が所望するデータを再生するための処理が簡単な構成で容易となり、処理効率が向上する。
【００１３】
請求項４に記載の発明は、請求項１ないし３のいずれかに記載のデータ再生装置において、時刻を計時する計時手段を具備し、再生条件設定手段は、時刻情報を含む再生条件情報を設定可能で、リストデータ選択手段は、前記計時手段にて計時する時刻と同時刻となる時刻情報を含む再生条件情報に基づいてリストデータを選出することを特徴とする。
【００１４】
この発明では、リストデータ選択手段により、計時手段にて計時する時刻と同時刻となる、再生条件設定手段にて設定された時刻情報を含む再生条件情報に基づいてリストデータを選出する。このことにより、利用者の所望するデータが時刻で区分されることとなり、より利用者の嗜好に対応したデータの再生が得られる。
【００１５】
請求項５に記載の発明は、請求項１ないし４のいずれかに記載のデータ再生装置において、再生条件設定手段は、データの再生状況に関する再生状態情報を含む再生条件情報を設定入力可能であることを特徴とする。
【００１６】
この発明では、再生条件設定手段は、再生条件情報としてデータの再生状況に関する再生状態情報を設定入力可能である。このことにより、利用者が所望する状況に応じたデータの再生が実施され、より利用者の嗜好に対応できる。
【００１７】
請求項６に記載の発明は、請求項１ないし５のいずれかに記載のデータ再生装置において、リストデータ選択手段は、再生条件情報に基づいて選出される複数のリストデータのうち無作為に１つのリストデータを選出することを特徴とする。
【００１８】
この発明では、リストデータ選択手段は、再生条件情報に基づいて選出するリストデータが複数となる場合には無作為に１つのリストデータを選出する。このことにより、同様の再生条件情報が設定されても、同一のリストデータによるデータの再生処理が防止され、記録されたデータが有効的に再生処理されるとともに、利用者の再生されるデータの鑑賞性が向上する。
【００１９】
請求項７に記載の発明は、請求項１および３ないし５のいずれかに記載のデータ再生装置において、リストデータ選択手段は、再生条件情報に基づいて対応する複数のリストデータを選出し、データ処理手段は、前記リストデータ選択手段にて選出された複数のリストデータを順列として順次データを再生処理することを特徴とする。
【００２０】
この発明では、リストデータ選択手段により再生条件情報に基づいて対応する複数のリストデータを選出した場合には、データ処理手段により、複数のリストデータを順列として順次読み取ってこれら複数のリストデータに指定された再生順序に基づいて順次データを再生処理する。このことにより、利用者の所望するデータがまとめて再生され、利用者の再生されるデータの鑑賞性が向上する。
【００２１】
請求項８に記載の発明は、請求項１ないし７のいずれかに記載のデータ再生装置において、リストデータ選択手段は、再生条件情報に基づいて複数のリストデータを選出した場合、再生条件設定手段にて設定される再生条件情報の変更または再生条件の追加修正を要求する報知をすることを特徴とする。
【００２２】
この発明では、リストデータ選択手段により、再生条件情報に基づいて複数のリストデータが選出された場合には、再生条件情報の変更やさらなる再生条件の追加修正を要求する報知をする。このことにより、利用者が再生条件情報を変更または再生条件の追加修正をする処理をすることにより、リストデータが１つに絞られデータを検索して再生処理するための負荷が低減する。
【００２３】
請求項９に記載の発明は、請求項１および３ないし８のいずれかに記載のデータ再生装置において、データ処理手段は、リストデータ選択手段にてリストデータを選出できない場合には記録媒体に記録された全てのデータを順次再生処理することを特徴とする。
【００２４】
この発明では、リストデータ選択手段にてリストデータを選出できない場合には、データ処理手段により記録媒体に記録された全てのデータを順次再生処理する。このことにより、特に利用者の所望する再生条件がない場合にデータを再生する場合には、全てのデータが再生されるので、データの連続再生も可能で、鑑賞性が向上する。
【００２５】
請求項１０に記載の発明は、請求項１ないし９のいずれかに記載のデータ再生装置と、このデータ再生装置と送受信可能に接続され前記データ再生装置にて再生処理されるデータを再生する端末装置と、を具備したことを特徴としたデータ再生システムである。
【００２６】
この発明では、利用者の嗜好に対応したデータが再生される請求項１ないし９のいずれかに記載のデータ再生装置で再生処理されるデータを、送受信可能に接続する端末装置で再生する。このことにより、大容量の記録媒体を備えることなく、再生処理されたデータを単に再生させればよく、データを再生する端末装置が容易に小型化するとともに、例えばネットワークの利用による利用の拡大が図れる。
【００２７】
請求項１１に記載の発明は、請求項１０に記載のデータ再生システムにおいて、端末装置は、データを再生する再生手段と、入力操作により再生条件設定手段にて設定される再生条件情報を入力する入力手段と、を備えたことを特徴とする。
【００２８】
この発明では、データを再生する再生手段、および、再生条件設定手段にて設定される再生条件情報を入力操作により入力する入力手段とを端末装置に設ける。このことにより、端末装置で利用者が再生条件情報を入力することにより、利用者が所望する再生条件で、データ再生装置にて再生処理されたデータが再生され、利用者毎の端末装置にてそれぞれ利用者の所望のデータ再生が得られ、嗜好性が向上するとともに、利用の拡大が容易に得られる。
【００２９】
請求項１２に記載の発明は、請求項１に記載の発明のデータ再生装置をデータ再生方法に展開したもので、記録媒体に複数記録されたデータを、前記記録媒体に複数記録され前記データの再生順序を指定するリストデータに基づいて再生処理するデータ再生方法であって、再生条件情報の設定を認識し、この認識した再生条件情報に基づいて、前記記録媒体に複数記録されるリストデータを選出し、この選出したリストデータに基づいて前記データを読み取って再生処理することを特徴とする。このことにより、請求項１に記載の発明と同様の作用効果を享受する。
【００３０】
請求項１３に記載の発明は、請求項２に記載の発明のデータ再生装置をデータ再生方法に展開したもので、記録媒体に複数記録されたデータを、前記記録媒体に複数記録され前記データの再生順序を指定するリストデータに基づいて再生処理するデータ再生方法であって、再生条件情報の設定を認識し、この認識した再生条件情報に基づいて前記記録媒体に複数記録されたリストデータを読み出し、この読み出したリストデータに基づいて前記記録媒体に記録されたデータを読み出して再生処理を実行させる旨の入力を促す報知をすることを特徴とする。このことにより、請求項２に記載の発明と同様の作用効果を享受する。
【００３１】
請求項１４に記載の発明は、請求項１２または１３に記載のデータ再生方法をコンピュータに実行させることを特徴としたデータ再生プログラムである。
【００３２】
この発明では、例えば汎用のコンピュータを利用してコンピュータにインストールすることにより請求項１２または１３に記載のデータ再生方法をコンピュータに実行させることができ、本発明の利用促進を大幅に図ることができる。
【００３３】
請求項１５に記載の発明は、請求項１４に記載のデータ再生プログラムがコンピュータにて読取可能に記録されたことを特徴としたデータ再生プログラムを記録した記録媒体である。
【００３４】
この発明では、請求項１２または１３に記載のデータ再生方法を実行させるための請求項１４に記載のデータ再生プログラムを記録媒体に記録させるので、データ再生プログラムの取扱が容易で、本発明の利用促進を大幅に図ることができる。
【００３５】
なお、請求項１４に記載の発明および請求項１５に記載の発明において、コンピュータは、１つに限らず、例えば複数のコンピュータをネットワーク状に組み合わせた構成や、マイクロコンピュータなどの素子、あるいは複数の電子部品が搭載された回路基板などをも含む。
【００３６】
【発明の実施の形態】
以下に、本発明の一実施の形態におけるデータ再生装置について、図面を参照して説明する。
【００３７】
〔データ再生装置の構成〕
図１は、データ再生装置の概略構成を示すブロック図である。図２は、ハードディスクに記録された音楽データのテーブル構造、そのプレイリストデータのデータ構造、および複数のリストデータのテーブル構造の関係を示す説明図である。図３は、ハードディスクの複数のリストデータを記録するテーブル構造を示す説明図である。
【００３８】
この図１において、１はデータ再生装置で、このデータ再生装置１は、データである音楽データを、この音楽データの再生順序を指定するプレイリストに関するリストデータに基づいて再生処理する。そして、データ再生装置１は、記憶手段２と、入力手段としてのキー入力装置３と、表示装置４と、音声コーデック部５と、第１の音声アンプ６と、第２のアンプ７と、処理本体８と、を備えている。また、処理本体８は、計時手段としての内蔵時計１１と、メモリ１２と、信号・データ処理プロセッサ部１３と、を備えている。
【００３９】
記憶手段２は、記録媒体としての例えばハードディスク２ａと、データ読取手段としてのハードディスクドライブ２ｂと、を備えている。そして、ハードディスク２ａは、例えば図２に示すように、音楽データ２ａ１、音楽データ２ａ１に関連付けられたアーティスト名やタイトル名などの図示しないタグデータ、記録された音楽データ２ａ１の目次的なプレイリストのデータであるプレイリストデータ２ａ２、利用者により設定され音楽データ２ａ１の再生順序を指定する複数のリストデータ２ａ３、図示しない画像データなど、各種データを記憶可能な記憶領域を有している。
【００４０】
また、ハードディスクドライブ２ｂは、処理本体８の信号・データ処理プロセッサ部１３に接続されている。そして、ハードディスクドライブ２ｂは、信号・データ処理プロセッサ部１３からの制御信号により、ハードディスク２ａに各種データを記録、および、ハードディスク２ａに記録された各種データを読み取って出力する。
【００４１】
入力手段としてのキー入力装置３は、信号・データ処理プロセッサ部１３に接続されている。このキー入力装置３は、データ再生装置１全体の動作指令をするための図示しない操作スイッチや操作ボタンを備えている。そして、キー入力装置３は、これら操作スイッチや操作ボタンの入力操作に対応する所定の信号を信号・データ処理プロセッサ部１３へ出力する。
【００４２】
表示装置４は、信号・データ処理プロセッサ部１３に接続されている。この表示装置４は、信号・データ処理プロセッサ部１３から出力される映像データに基づいて適宜画像表示する図示しない表示面を備えている。この表示装置４は、ハードディスク２ａに記録された画像データにより、プレイリストやタグデータに基づく例えばアーティスト名やタイトル名などを表示する。
【００４３】
音声コーデック部５は、信号・データ処理プロセッサ部１３に接続されている。この音声コーデック部５は、信号・データ処理プロセッサ部１３から出力されるデジタル信号の音楽データ２ａ１を再生処理し、アナログ信号に変換して出力する。
【００４４】
第１の音声アンプ６は、スピーカやヘッドホン、イヤホンなどの図示しない発音手段が接続される音声出力端子６ａを備え、音声コーデック部５に接続されている。この第１の音声アンプ６は、音声コーデック部５にて変換されたアナログ信号の音楽データ２ａ１を適宜増幅して音声出力端子６ａから出力させる。この出力により、スピーカやヘッドホン、イヤホンなどの図示しない発音手段が発音し、音声データが音として再生される。
【００４５】
第２の音声アンプ７は、図示しないマイクロホンなどの音波を電気信号に変換する装置が接続される音声入力端子７ａを備え、音声コーデック部５に接続されている。この第２の音声アンプ７は、音声入力端子７ａから入力されるアナログ信号を適宜増幅して音声コーデック部５に出力する。
【００４６】
処理本体８の内蔵時計１１は、時刻を計時する。この内蔵時計１１は、信号・データ処理プロセッサ部１３に接続されている。そして、内蔵時計１１は、計時した時刻データを信号・データ処理プロセッサ部１３に出力する。
【００４７】
処理本体８のメモリ１２は、例えばＲＡＭ（Ｒａｎｄｏｍ　Ａｃｃｅｓｓ　Ｍｅｍｏｒｙ）などで、信号・データ処理プロセッサ部１３に接続されている。そして、メモリ１２は、信号・データ処理プロセッサ部１３からのデータを記憶するとともに、記憶するデータを信号・データ処理プロセッサ部１３へ出力する。このメモリ１２には、例えばデータ再生装置１全体の動作制御をするＯＳ（Ｏｐｅｒａｔｉｎｇ　Ｓｙｓｔｅｍ）上に展開される各種プログラムが記憶されている。
【００４８】
さらに、メモリ１２には、例えば時刻に基づいて、例えば朝や昼・夜などの時間帯、記念日や休日あるいは平日などの日時、季節などのカテゴリが記録されている。これらカテゴリは、時刻に基づいて適宜信号・データ処理プロセッサ部１３で取得される。
【００４９】
処理本体８の信号・データ処理プロセッサ部１３は、メモリ１２に記憶された各種プログラムにより、再生条件設定手段２１と、リスト作成手段２２と、リストデータ選択手段２３と、データ処理手段２４と、報知手段２５と、を備えている。
【００５０】
再生条件設定手段２１は、キー入力装置３による入力操作にて入力される、音楽データ２ａ１を再生する条件である再生条件を再生条件情報として設定する。この設定される再生条件情報は、例えばメモリ１２に記憶される。ここで、再生条件としては、例えば再生させる時刻、朝や昼・夜などの時間帯、記念日や休日あるいは平日などの日時、季節などの時刻情報、携帯鑑賞あるいは屋内鑑賞または車内鑑賞などのデータ再生装置１の利用形態、山あるいは海または湖畔などのデータ再生する周辺状況、音楽データ２ａ１のジャンル別、アーティスト別などが例示される。
【００５１】
リスト作成手段２２は、図３に示すテーブル構造の複数のリストデータ２ａ３を作成する。この作成されるリストデータ２ａ３は、図３に示すように、キー入力装置３による入力操作にて入力される、リスト番号２ａ３ａや再生条件情報２ａ３ｂを含む固有の識別情報２ａ３１、再生順序を指定する音楽データ２ａ１のファイル名のリスト情報２ａ３２、このリストで最後に再生された音楽データ２ａ１の情報やランダム再生の設定の有無情報などの再生状態情報２ａ３３などが１つのレコードとして構成されるデータ構造である。そして、キー入力装置３の入力操作により各項目が入力されてリスト作成手段２２にて作成されたリストデータ２ａ３は、図３に示すようにハードディスク２ａに複数記録される。すなわち、ハードディスク２ａは、図３に示すように複数のリストデータ２ａ３を記録するテーブル構造の記録領域を有している。
【００５２】
リストデータ選択手段２３は、再生条件設定手段２１にて設定されてメモリ１２に記録された再生条件情報と、ハードディスク２ａに記録された複数のリストデータ２ａ３の固有の識別情報２ａ３１とを照合し、再生条件情報に合致する固有の識別情報２ａ３１を有するリストデータ２ａ３を選出する。このリストデータ２ａ３の選出は、例えば図２に示すように、比較結果として再生条件情報が合致した旨の信号２ａ３４が書き加えられることにより選出される。そして、この選出したリストデータ２ａ３は、メモリ１２に記憶される。
【００５３】
データ処理手段２４は、リストデータ選択手段２３にて選出されたリストデータ２ａ３に基づいて、ハードディスク２ａから対応する音楽データ２ａ１を検索し、読み取って一旦メモリ１２に記憶させるとともに、再生するための処理をする。なお、音楽データ２ａ１の検索は、リストデータ２ａ３に記述された音楽データ２ａ１のファイル名が順番にリストアップされた再生順序を示すリスト情報２ａ３２に基づいて検索される。また、再生するための処理としては、例えば音楽データ２ａ１がＭＰ３（ＭＰＥＧ（Ｍｏｖｉｎｇ　Ｐｉｃｔｕｒｅ　Ｅｘｐｅｒｔｓ　Ｇｒｏｕｐ）−１　Ａｕｄｉｏ　Ｌａｙｅｒ−３）方式で圧縮されたデータの場合には伸長処理するなどの処理をいう。
【００５４】
報知手段２５は、例えば利用者により入力された再生条件でデータを再生できる待機状態となった旨を報知する処理をする。具体的には、表示装置４にて画像出力させたり、第１の音声アンプ６を介して音声出力端子６ａに接続される発音手段にて音声などを出力させるなどの処理をする。
【００５５】
また、信号・データ処理プロセッサ部１３には、例えばパーソナルコンピュータや音響装置などの図示しない外部機器との間で制御やデータ転送を実施するため、あるいは各種センサが接続されデータ再生装置１の利用形態や周辺状況などを認識するための信号を受信するためなどの外部インターフェース２７が設けられている。
【００５６】
〔データ再生装置における音楽データの再生処理〕
次に、本実施の形態における音楽データの再生処理について、図面を参照して説明する。図４は、リストデータを登録する動作を示すフローチャートである。図５は、曲再生時におけるリストデータを選出する動作を示すフローチャートである。図６は、曲再生時における曲の選出動作を示すフローチャートである。図７は、再生条件情報を設定する動作を説明する概念図である。図８は、リストデータを選出する動作を説明する概念図である。
【００５７】
（リストデータの登録動作）
まず、利用者によるリストデータ２ａ３の登録動作について説明する。電源が投入されたデータ再生装置１は、メニュー表示する処理をする（ステップＳ１）。すなわち、処理本体８の信号・データ処理プロセッサ部１３は、ハードディスクドライブ２ｂを制御して、ハードディスク２ａに記録されたメニュー表示のための画像データを読み取り、適宜処理する。この後、処理した画像データを表示装置４に出力し、表示装置４にメニュー表示させる。
【００５８】
この後、信号・データ処理プロセッサ部１３は、キー入力装置３からの信号の入力を待機する待機状態となる（ステップＳ２）。このステップＳ２で、信号・データ処理プロセッサ部１３が利用者によるキー入力装置３の入力操作にて再生条件を入力したことを認識すると、再生条件設定手段２１により入力された再生条件に基づいて再生条件情報を設定し（ステップＳ３）、メモリ１２に記憶させる。
【００５９】
そして、信号・データ処理プロセッサ部１３は、リストデータ選択手段２３によりメモリ１２に記憶された再生条件情報と、ハードディスク２ａに記録された複数のリストデータ２ａ３の固有の識別情報２ａ３１とを照合し、再生条件情報に合致する固有の識別情報２ａ３１を有するリストデータ２ａ３を検索する（ステップＳ４）。このステップＳ４で、再生条件情報に合致する固有の識別情報２ａ３１を有するリストデータ２ａ３を検出した場合には、例えば既存のリストデータ２ａ３が登録されている旨、あるいは既存のリストデータ２ａ３を、表示装置４に表示させる制御をし（ステップＳ５）、リストデータ２ａ３を作成する動作を終了する。
【００６０】
一方、ステップＳ４で、再生条件情報に合致する固有の識別情報２ａ３１を有するリストデータ２ａ３を検出できなかった場合には、リスト作成手段２２により、入力された再生条件情報を有する新規のリストデータ２ａ３を作成する処理をする（ステップＳ６）。具体的には、信号・データ処理プロセッサ部１３は、再生順序を指定する音楽データ２ａ１のファイル名のリスト情報２ａ３２、このリストで最後に再生された音楽データ２ａ１の情報やランダム再生の設定の有無情報などの再生状態情報２ａ３３などの各項目の入力を促す表示を表示装置４に表示させる。この表示に内容に従って利用者が入力することにより、ステップＳ３で設定した再生条件情報とともに入力された各情報に基づいてリストデータ２ａ３を作成する。そして、ハードディスク２ａに記録して登録し（ステップＳ７）、リストデータ２ａ３を作成する動作を終了する。
【００６１】
（音楽データの再生動作）
そして、音楽データ２ａ１を再生する際には、図５のリストデータ２ａ３の選択処理のフローチャートおよび図６の音楽データ２ａ１の選択処理のフローチャートに示す動作に基づいて処理される。すなわち、図５のリストデータ２ａ３の選択処理のフローチャートに示すように、データ再生装置１は、再生指令信号の入力待機状態となっている（ステップＳ１１）。この入力待機状態は、利用者によるキー入力装置３にて再生を実行させる旨の入力操作、例えば再生待機状態となっている報知に基づいて再生処理を実行させる旨の入力操作、または、上述した再生条件の入力操作に基づいて作成したリストデータ２ａ３を再生させる旨の入力操作、あるいは、単に音楽データ２ａ１を再生させる旨の入力操作など、利用者による入力の待機状態である。
【００６２】
このステップＳ１１で、信号・データ処理プロセッサ部１３が、再生指令信号を認識すると、ハードディスク２ａ内に登録されたリストデータ２ａ３の有無を判断する（ステップＳ１２）。このステップＳ１２でリストデータ２ａ３が登録されていないと判断した場合、信号・データ処理プロセッサ部１３は、利用者が単にハードディスク２ａに記録された音楽データ２ａ１の再生指令を入力したと判断する。この判断により、信号・データ処理プロセッサ部１３は、デフォルトのプレイリスト、すなわちハードディスク２ａに記録されたプレイリストデータ２ａ２を読み出して選出し（ステップＳ１３）、曲再生処理に移行する。
【００６３】
一方、ステップＳ１２で、プレイリストが登録されていると判断した場合には、内蔵時計１１から出力される時刻データを取得する（ステップＳ１４）。そして、この取得した時刻データに基づいて、信号・データ処理プロセッサ部１３により、図７に示すように、朝昼夜などの時間帯、曜日、季節などの時刻に関するカテゴリ化処理をする（ステップＳ１５）。すなわち、信号・データ処理プロセッサ部１３は、取得した時刻データに基づいて、その時刻に対応しメモリ１２に記憶されているカテゴリを読み取る。
【００６４】
さらに、信号・データ処理プロセッサ部１３は、利用者の入力操作による再生指令の入力の際に入力、あるいは外部インターフェース２７を介して取得した信号により、他の再生条件を認識する（ステップＳ１６）。すなわち、外部インターフェース２７を介して接続されている外部機器を認識、あるいは入力操作された再生条件の認識により携帯鑑賞あるいは屋内鑑賞または車内鑑賞などのデータ再生装置の利用形態をカテゴリ化したり、入力操作された再生条件の認識により、山あるいは海または湖畔などのデータ再生する周辺状況、音楽データ２ａ１のジャンル別、アーティスト別などをカテゴリ化するなど、時刻のカテゴリ化とともに他の再生条件情報のカテゴリ化処理をする。これらカテゴリ化された再生条件情報は、メモリ１２に記憶される。
【００６５】
この後、信号・データ処理プロセッサ部１３は、リストデータ選択手段２３により、取得した再生条件情報と、ハードディスク２ａに記録された複数のリストデータ２ａ３の固有の識別情報２ａ３１とを照合する。すなわち、ハードディスク２ａを検索し、検出したリストデータ２ａ３の固有の識別情報２ａ３１と再生条件情報とを照合させる（ステップＳ１７）。そして、再生条件情報と固有の識別情報２ａ３１とが一致するか否かを判断する（ステップＳ１８）。このステップＳ１８で、一致しないと判断した場合には、再びハードディスク２ａを検索して次のリストデータ２ａ３を検出させる処理をする（ステップＳ１９）。
【００６６】
また、ステップＳ１８で再生条件情報と固有の識別情報２ａ３１とが一致すると判断した場合、信号・データ処理プロセッサ部１３は、そのリストデータ２ａ３を選出、すなわち図８に示すように、そのリストデータ２ａ３に比較結果として再生条件情報が合致した旨の信号２ａ３４を書き加える（ステップＳ２０）。この後、ステップＳ１９に進む。
【００６７】
さらに、ステップＳ１９にてリストデータ２ａ３が検出されたか否かを判断する（ステップＳ２１）。そして、ステップＳ２１でリストデータ２ａ３が検出されたと判断した場合には、ステップＳ１７に進み、再生条件情報との照合を継続処理する。また、ステップＳ２１でリストデータ２ａ３が検出できないと判断した場合には、現在までの照合した比較結果で再生条件に該当するリストデータ２ａ３が合ったか否か、すなわち再生条件情報が合致した旨の信号２ａ３４が書き加えられたリストデータ２ａ３の有無を判断する（ステップＳ２２）。
【００６８】
そして、ステップＳ２２で、再生条件に該当するリストデータ２ａ３を検出できなかったと判断した場合には、ステップＳ１３に進み、入力された再生指令要求に基づいて、全音楽データ２ａ１を再生処理する。また、ステップＳ２２で、該当するリストデータ２ａ３を検出したと判断した場合には、図８に示すように、この該当したリストデータ２ａ３をメモリ１２に記憶させ（ステップＳ２３）、曲再生処理に移行する。
【００６９】
このステップＳ２３において、複数のリストデータ２ａ３が選出された場合には、さらに利用者に再生条件の入力を促す表示を表示装置４で表示させる処理をし、リストデータ２ａ３を１つに絞り込むいわゆるマージ処理を実施する。
【００７０】
この曲再生処理に際しては、図６の音楽データ２ａ１の選択処理のフローチャートに示すように、図５のリストデータ２ａ３の選択処理のフローチャートに示す処理により、信号・データ処理プロセッサ部１３がリストデータ２ａ３が選出されたことを認識すると（ステップＳ３１）、このリストデータ２ａ３に記述されている最後に再生された音楽データ２ａ１の情報である再生状態情報２ａ３３を取得する（ステップＳ３２）。
【００７１】
さらに、信号・データ処理プロセッサ部１３は、ランダム再生が設定されているか否かを判断する。すなわち、選出されたリストデータ２ａ３に記述されているランダム再生の設定の有無情報である再生状態情報２ａ３３を取得し、ランダム再生が設定されているか否かを判断する（ステップＳ３３）。
【００７２】
このステップＳ３３で、ランダム再生が設定されていないと判断した場合には、ステップＳ３２で取得した再生状態情報２ａ３３に基づいて認識した音楽データ２ａ１の次の再生順序に指定されている音楽データ２ａ１を認識する（ステップＳ３４）。また、ステップＳ３３で、ランダム再生が設定されていると判断した場合には、リストデータ２ａ３に記述されているリスト情報２ａ３２で乱数を発生させ、次に再生する音楽データ２ａ１を認識する（ステップＳ３５）。
【００７３】
そして、このステップＳ３４またはステップＳ３５で認識した音楽データ２ａ１のファイル名に基づいて、音楽データを読み取る（ステップＳ３６）。すなわち、図６に示すように、プレイリストデータ２ａ２を用いて音楽データ２ａ１を読み取るファイルがハードディスク２ａのどの場所に記録されているかを認識し、その場所から音楽データ２ａ１のファイルを検索して音楽データ２ａ１を読み取る。
【００７４】
この後、読み取った音楽データ２ａ１を再生処理する（ステップＳ３７）。すなわち、信号・データ処理プロセッサ部１３は、ハードディスク２ａから読み取った音楽データ２ａ１を伸長処理するなどして処理した後、音声コーデック部５でアナログ信号に変換し、第１の音声アンプ６で適宜増幅し、音声出力端子を介して発音手段から音として出力させて再生させる。
【００７５】
〔データ再生装置の効果〕
上述したように、本実施の形態では、再生条件設定手段２１にて設定された再生条件情報に基づいて、ハードディスクドライブ２ｂにてハードディスク２ａに複数記録されたリストデータ２ａ３のうち再生条件情報に該当するリストデータ２ａ３を読み取る。そして、データ処理手段２４により、読み取ったリストデータ２ａ３で指定される再生順序に基づいてハードディスク２ａから読み取った音楽データ２ａ１を再生するための処理をする。このため、利用者が所望する再生条件の入力にて設定される再生条件情報に基づいて、対応するリストデータ２ａ３が選出され、このリストデータ２ａ３に記述された再生順序の指示に従って利用者が所望する音楽データ２ａ１を読み取って再生処理するので、利用者の嗜好に対応した音楽データ２ａ１を再生できるとともに、利用者が所望する音楽データ２ａ１を再生させるための操作が再生条件を入力する容易な操作ででき、取扱性を向上できる。
【００７６】
そして、利用者が所望する再生条件に該当するリストデータ２ａ３を選出するために、リストデータ選択手段２３にて再生条件情報との適合性を判断する固有の識別情報２ａ３ｂをリストデータ２ａ３に設ける。このため、利用者が所望する音楽データ２ａ１を再生するための処理が、リストデータ２ａ３に識別情報２ａ３ｂを付加するという簡単な構成で容易にでき、処理するためのプログラム構成を簡略化できるとともに処理効率を向上できる。
【００７７】
また、リストデータ選択手段２３により、内蔵時計１１にて計時する時刻と同時刻となる、再生条件設定手段２１にて設定された時刻情報を含む再生条件情報に基づいてリストデータ２ａ３を選出する。このため、利用者の所望する音楽データ２ａ１が時刻で区分されることとなり、より利用者の嗜好に対応した音楽データ２ａ１を再生できる。
【００７８】
そして、設定する再生条件情報として、利用者が音楽データ２ａ１を再生させる再生条件の設定が容易なカテゴリを用いるため、再生条件情報の設定が容易にでき、取扱性を向上できる。
【００７９】
さらに、この再生条件情報を構成するカテゴリで該当するリストデータ２ａ３を選出させるために、内蔵時計１１で得られる時刻データをカテゴリ化処理し、カテゴリで該当するリストデータ２ａ３の検索をする。このため、ある程度の範囲を持ったカテゴリによる処理により、処理負荷が低減し、処理効率の向上も期待できる。
【００８０】
また、再生条件情報として、時刻や時間帯、曜日などの時刻情報とともに、携帯鑑賞あるいは屋内鑑賞または車内鑑賞などのデータ再生装置１の利用形態、山あるいは海または湖畔などのデータ再生する周辺状況、音楽データ２ａ１のジャンル別、アーティスト別などの音楽データ２ａ１の再生状況に関する再生状態情報を設定可能である。このため、利用者が所望する状況に応じて音楽データ２ａ１を再生でき、より利用者の嗜好に対応できる。
【００８１】
さらに、再生条件情報として、そのリストデータ２ａ３に最後に再生した音楽データ２ａ１をリストアップする情報を記述できる構成としたため、再び同一のリストデータ２ａ３が選出されても、それまで再生された音楽データ２ａ１から次の音楽データ２ａ１を再生できるので、同じ曲を何回も聴くことになることを防止でき、利用者の鑑賞性の低下を防止できるとともに、ハードディスク２ａに蓄積された音楽データ２ａ１が有効的に再生できる。
【００８２】
さらには、再生条件情報として、リストデータ２ａ３にランダム再生を設定できる構成としたため、上述したように、再び同一のリストデータ２ａ３が選出されても、同じ曲を何回も聴くことになることを防止でき、利用者の鑑賞性の低下を防止できるとともに、ハードディスク２ａに蓄積された音楽データ２ａ１が有効的に再生できる。
【００８３】
そして、再生要求指令を認識しても該当するリストデータ２ａ３を選出できない場合には、特に利用者の所望する再生条件がないと判断してプレイリストデータ２ａ２を選出してハードディスク２ａに記録された全音楽データ２ａ１を順次再生処理して連続再生させるため、鑑賞性も向上できる。
【００８４】
また、複数のリストデータ２ａ３が選出された場合には、さらに利用者に再生条件の入力を促す表示をしてリストデータ２ａ３を１つに絞り込むいわゆるマージ処理を実施するため、所定の音楽データ２ａ１を再生するための処理負荷を低減できる。
【００８５】
〔実施形態の変形〕
なお、本発明は、上述した一実施の形態に限定されるものではなく、本発明の目的を達成できる範囲で以下に示される変形をも含むものである。
【００８６】
すなわち、再生するデータは、ＭＰ３方式で圧縮されたデータに限らず、例えばＣＤ−ＤＡ（Ｃｏｍｐａｃｔ　Ｄｉｓｋ−Ｄｉｇｉｔａｌ　Ａｕｄｉｏ）に記録された音楽データ２ａ１のように圧縮処理が施されていないデータ、また、音楽データ２ａ１に限らず、画像データなどの他のデータを対象とすることもできる。
【００８７】
そして、記録媒体としてハードディスク２ａを用いて説明したが、音楽データ２ａ１を記録しておく記録媒体としては、ハードディスク２ａに限らず、例えば磁気ディスクや光ディスク、光磁気ディスク、磁気カードなど、いずれの構成でもできる。また、記録媒体を着脱可能な外部メディアとし、この外部メディアからデータを読み取る構成としてもできる。
【００８８】
さらに、再生条件情報としては、時刻情報のみ、再生状態情報のみ、あるいは、これら時刻情報や再生状態情報を構成する項目のいずれかの組み合わせなどでもできる。
【００８９】
そして、利用者がキー入力装置３によるデータの再生要求指令の入力操作により、時刻情報および再生状態情報に基づいてリストデータ２ａ３を選出したが、例えば時刻情報に基づいてリストデータ２ａ３を選出する処理をし、リストデータ２ａ３が選出された場合には、そのリストデータ２ａ３に基づいて自動的に再生処理をしてもよい。このことにより、利用者が再生要求指令の入力操作をすることなしにデータが再生処理され、利便性の向上が図れる。
【００９０】
さらには、時刻情報に基づいてリストデータ２ａ３を選出する処理をし、リストデータ２ａ３が選出された場合、報知手段２５により、選出されたリストデータ２ａ３を表示装置４で表示させたり、案内音を出力させるなど、再生要求指令により選出されたリストデータ２ａ３に基づいて再生処理可能である再生要求指令の待機状態となっていることを報知する処理をしてもよい。このように、利用者に再生処理の確認をすることにより、より利用者の嗜好に対応したデータの再生処理ができる。
【００９１】
また、再生条件情報に基づいて複数のリストデータ２ａ３が選出された場合に、さらに利用者に再生条件の入力を促す表示をしてリストデータ２ａ３を１つに絞り込むいわゆるマージ処理を実施して説明したが、選出された複数のリストデータ２ａ３のいずれかをランダムに１つだけ選出し、この選出したリストデータ２ａ３に基づいて音楽データ２ａ１を再生させたり、すべての選出されたリストデータ２ａ３で順次音楽データ２ａ１を再生させるなどしてもよい。
【００９２】
なお、ランダムに１つだけリストデータ２ａ３を選出する構成では、利用者が既に所望する条件を満たしたリストであり、さらに利用者による再生条件の入力操作が不要で、利便性を向上できるとともに、ランダム再生する構成と同様に、同じ曲を何回も聴くことになることを防止でき、利用者の鑑賞性の低下を防止できるとともに、ハードディスク２ａに蓄積された音楽データ２ａ１が有効的に再生できる。さらに、全てのリストデータ２ａ３で順次再生処理する構成では、利用者の所望する音楽データ２ａ１がまとめて再生され、利用者の再生されるデータの鑑賞性が向上する。
【００９３】
そして、データ再生装置１の音声出力端子６ａに接続される発音手段から再生させる構成について説明したが、例えば図９に示すように、データ再生装置１で再生処理したデータを通信により端末装置３１に送信し、この端末装置３１で再生させるシステムとして構成することもできる。なお、この図９に示す構成において、図１ないし図８に示す実施の形態と同一の構成については、同一の符号を付し、説明を省略する。
【００９４】
すなわち、図９に示すように、データ再生システム３２は、データ再生装置１と端末装置とを備えている。そして、データ再生装置１に、信号・データ処理プロセッサ部１３に接続する通信手段３３を設ける。また、端末装置３１は、表示装置４と、キー入力装置３と、音声出力手段３５と、これらに信号の送受信が可能に接続される端末通信手段３６と、を備えている。
【００９５】
そして、データ再生装置１の通信手段３３は、信号・データ処理プロセッサ部１３から出力される信号を受信し、無線媒体３８を介して端末通信手段３６に出力するとともに、端末通信手段３６から出力される信号を受信し、信号・データ処理プロセッサ部１３に出力する。また、端末装置３１の音声出力手段３５は、例えば図示しない音声コーデック部、音声アンプ、および、発音手段を備え、端末通信手段３６を介してデータ再生装置１から取得した音楽データ２ａ１を、適宜音声コーデック部でアナログ信号に変換して適宜音声アンプで増幅した後に発音手段で音として出力させる。端末装置３１の表示装置４は、端末通信手段３６を介してデータ再生装置１から取得した画像データを画面表示させる。端末装置３１のキー入力装置３は、入力操作により入力された情報やデータを端末通信手段３６を介してデータ再生装置１に出力する。
【００９６】
この構成により、利用者が実際にデータを再生させる端末装置３１にハードディスク２ａなどのデータを蓄積する記録媒体や所望のデータを再生させるためのリストデータ２ａ３を選出するための構成が不要で、利用者が利用する再生装置としての端末装置３１が小型ででき、利用の拡大を図ることができる。
【００９７】
さらに、ハードディスク２ａに蓄積する音楽データ２ａ１を取得する方法として、音声入力端子７ａを有した第２の音声アンプ７および音声コーデック部５を介して信号・データ処理プロセッサ部１３で処理してハードディスク２ａに記録する他に、例えば図９に示すように、インターネット４１やイントラネットなどを介して音楽データ配信サーバ装置４２から配信される音楽データ２ａ１を通信手段３３を介して取得し、信号・データ処理プロセッサ部１３で処理してハードディスク２ａに記録するなどしてもよい。
【００９８】
本発明は、上述した一実施の形態および実施形態の変形のみに限ることなく、その他、本発明の目的を逸脱しない範囲で様々な応用が可能である。
【００９９】
【発明の効果】
本発明によれば、利用者が所望する再生条件に対応する再生条件情報に基づいて記録媒体に複数記録されたリストデータを読み取り、リストデータで指定される再生順序に基づいて記録媒体からデータを読み取って再生処理するため、利用者の嗜好に対応したデータを再生できるとともに、利用者が所望するデータを再生させるための操作が容易となり、取扱性を向上できる。
【０１００】
また、本発明によれば、利用者が所望する再生条件に対応する再生条件情報に基づいて記録媒体に複数記録されたリストデータを読み取り、リストデータで指定される再生順序に基づいて記録媒体からデータを読み取って再生処理をする旨の入力を促す報知をするため、報知に基づく再生処理を実行させる旨の入力により利用者の嗜好に対応してデータを再生できるとともに、利用者にデータの再生処理を確認することとなり、より利用者の嗜好に対応したデータの再生ができる。
【図面の簡単な説明】
【図１】本発明の一実施の形態に係るデータ再生装置を示すブロック図である。
【図２】前記一実施の形態におけるハードディスクのテーブル構造を示す説明図である。
【図３】前記一実施の形態におけるハードディスクに複数記録されるリストデータのテーブル構造を示す説明図である。
【図４】前記一実施の形態におけるリストデータを登録する動作を示すフローチャートである。
【図５】前記一実施の形態における曲再生時におけるリストデータを選出する動作を示すフローチャートである。
【図６】前記一実施の形態における曲再生時における曲の選出動作を示すフローチャートである。
【図７】前記一実施の形態における再生条件情報を設定する動作を説明する概念図である。
【図８】前記一実施の形態におけるリストデータを選出する動作を説明する概念図である。
【図９】本発明の他の実施の形態に係るデータ再生装置を示すブロック図である。
【符号の説明】
１　　　　データ再生装置
２ａ　　　記憶手段としてのハードディスク
２ａ１　　データである音楽データ
２ａ３　　リストデータ
２ａ３１　識別情報
２ａ３３　再生状態情報
２ｂ　　　データ読取手段としてのハードディスクドライブ
１１　　　　計時手段としての内蔵時計
２１　　　　再生条件設定手段
２３　　　　リストデータ選択手段
２４　　　　データ処理手段
２５　　　　報知手段
３１　　　　端末装置
３２　　　　データ再生システム
【図１】
2004005832.tif 000003
【図２】
2004005832.tif 000004
【図３】
2004005832.tif 000005
【図４】
2004005832.tif 000006
【図５】
2004005832.tif 000007
【図６】
2004005832.tif 000008
【図７】
2004005832.tif 000009
【図８】
2004005832.tif 000010
【図９】
2004005832.tif 000011